(57)【特許請求の範囲】
【請求項１】
回路基板（２）の対向する一対の縁部分（２ａ）を挟持することで回路基板を保持する回路基板保持装置であって、
上記縁部分に対向して配置され上記回路基板の表面に当接する固定部材（１３）と、
上記回路基板の裏面に当接し基板挟持位置（２０）と基板解放位置（２１）との間で上記回路基板の厚み方向に移動し、かつ上記基板挟持位置へ移動することで上記固定部材との間に上記回路基板の縁部分のそれぞれを上記厚み方向から挟持する可動部材（１４）と、
上記回路基板の挟持解除時、上記可動部材が上記基板挟持位置から上記基板解放位置へ移動するとき上記固定部材から強制的に上記回路基板を分離させる分離機構（７、１２）とを備え、
上記分離機構は、上記固定部材に一端を固定された固定部（７１）と、該固定部に対して上記回路基板側へ折れ曲がる当接部（７２）とが一体的に成形された板バネ（７）であることを特徴とする回路基板保持装置。
【請求項２】
上記可動部材が上記基板解放位置に位置するとき、上記固定部は、上記固定部材の上面（１３ｃ）に当接して延在し、上記当接部は、上記固定部材における基板接触面（１３ｂ）を超えて上記可動部材側へ、上記回路基板を上記可動部材へ押圧する弾性力を生じさせる寸法（Ｌ）にて突出する、請求項１記載の回路基板保持装置。
【請求項３】
回路基板（２）において対向する一対の縁部分（２ａ）を当該回路基板の厚み方向から、固定部材（１３）と、基板挟持位置（２０）及び基板解放位置（２１）の間で移動する可動部材（１４）とによって挟持して当該回路基板の保持を行う回路基板保持装置にて実行される回路基板保持解除方法において、
上記回路基板の挟持解除時、上記可動部材を上記基板解放位置へ移動させ、
上記固定部材に一端を固定された板バネ（７）の弾性力にて、上記基板解放位置側への上記可動部材の移動とともに上記回路基板を上記可動部材へ当接させる、
ことを特徴とする回路基板保持解除方法。
【発明の詳細な説明】
【０００１】
【発明の属する技術分野】
本発明は、プリント基板等の回路基板上に例えば電子部品を装着する部品装着装置に備わり上記回路基板の保持及び保持解除を行う回路基板保持装置並びに該回路基板保持装置にて実行される回路基板保持解除方法に関する。
【０００２】
【従来の技術】
電子部品をプリント基板上に装着する部品装着装置において、上記電子部品の装着時における上記プリント基板の固定、保持を行う部分は以下のように構成されている。即ち、図７及び図８に示すように、プリント基板２をＸ，Ｙ方向に移動させるＸＹテーブル上には、プリント基板２を固定し保持する回路基板保持装置１が設置されている。該回路基板保持装置１には、Ｘ方向に平行に延在し、大略逆Ｌ字状の断面形状を有する一対の固定部材１３，１３が固定されるとともに、両固定部材１３，１３において対向する両固定部材１３の内側側面１３ａ，１３ａに沿ってＸ方向に延在しかつ上記内側側面１３ａ，１３ａにガイドされながら基板挟持位置２０と基板解放位置２１との間をＺ方向に摺動する一対の可動部材１４，１４が設置される。このような回路基板保持装置１において、プリント基板２は、両固定部材１３，１３にて挟まれた領域に搬入される。そして、例えばエアシリンダを有する駆動装置１５，１５にて両可動部材１４を基板挟持位置２０へ上昇させることで、Ｘ方向に延在するプリント基板２の縁部分２ａが固定部材１３，１３の基板接触面１３ｂ，１３ｂと可動部材１４，１４の基板接触面１４ｂ，１４ｂとで挟持され、プリント基板２は回路基板保持装置１に固定される。
このようにしてプリント基板２が固定されたＸＹテーブルは、Ｘ及びＹ方向の所定の位置へ移動され、電子部品装着装置３を用いてプリント基板２への電子部品の装着が行なわれる。そして、プリント基板２に対して電子部品の所定の装着動作が終了した後、図９に示すように、駆動装置１５，１５を作動させて可動部材１４，１４を基板解放位置２１まで下降させ、プリント基板２の挾持を解除してプリント基板２を次工程へ搬送する。
【０００３】
【発明が解決しようとする課題】
しかしながら、上述した従来の回路基板保持装置１では、可動部材１４，１４を基板解放位置２１まで下降させたにもかかわらず、プリント基板２の表面状態によっては、図１０に示すようにプリント基板２が固定部材１３に貼り付く現象が発生する場合がある。即ち、プリント基板２が挟持された状態においてＸ方向にプリント基板２が位置ずれを生じないように、固定部材１３及び可動部材１４とプリント基板２との摩擦力を増すために、固定部材１３の基板接触面１３ｂ、及び可動部材１４の基板接触面１４ｂにはゴム材が貼付又は塗布される場合がある。よって、プリント基板２の表裏面にフラックスが塗布されている場合等には、上述の挟持動作により上記ゴム材とプリント基板２の表裏面とが貼り付く場合が生じる。このような貼り付いた状態が発生した後、プリント基板２は自重により可動部材１４，１４側へ落下するが、プリント基板２の落下によりプリント基板２に装着した電子部品の位置がズレたり、次工程へのプリント基板２の搬送が不能となる状態等が発生するという問題がある。
本発明は、このような問題点を解決するためになされたもので、回路基板への電子部品の装着後、装着した電子部品の位置ずれや次工程への回路基板の搬送不能状態を防止する回路基板保持装置、及び該回路基板保持装置にて実行される回路基板保持解除方法を提供することを目的とする。
【０００４】
【課題を解決するための手段】
本発明の第１態様における回路基板保持装置は、回路基板の対向する一対の縁部分を挟持することで回路基板を保持する回路基板保持装置であって、
上記縁部分に対向して配置され上記回路基板の表面に当接する固定部材と、
上記回路基板の裏面に当接し基板挟持位置と基板解放位置との間で上記回路基板の厚み方向に移動し、かつ上記基板挟持位置へ移動することで上記固定部材との間に上記回路基板の縁部分のそれぞれを上記厚み方向から挟持する可動部材と、
上記回路基板の挟持解除時、上記可動部材が上記基板挟持位置から上記基板解放位置へ移動するとき上記固定部材から強制的に上記回路基板を分離させる分離機構とを備え、
上記分離機構は、上記固定部材に一端を固定された固定部と、該固定部に対して上記回路基板側へ折れ曲がる当接部とが一体的に成形された板バネであることを特徴とする。
【０００５】
本発明の第２態様における回路基板保持解除方法は、回路基板において対向する一対の縁部分を当該回路基板の厚み方向から、固定部材と、基板挟持位置及び基板解放位置の間で移動する可動部材とによって挟持して当該回路基板の保持を行う回路基板保持装置にて実行される回路基板保持解除方法において、
上記回路基板の挟持解除時、上記可動部材を上記基板解放位置へ移動させ、
上記固定部材に一端を固定された板バネの弾性力にて、上記基板解放位置側への上記可動部材の移動とともに上記回路基板を上記可動部材へ当接させることを特徴とする。
【０００６】
【発明の実施の形態】
本発明の一実施形態である回路基板保持装置、及び回路基板保持解除方法について図を参照しながら以下に説明する。尚、上記回路基板保持解除方法は、上記回路基板保持装置にて実行されるものである。又、各図において同じ構成部分については同じ符号を付している。
図１に示すように、本実施形態の回路基板保持装置１００における固定部材１３，１３の上面１３ｃ，１３ｃには、回路基板の一例に相当するプリント基板２の４角に対応するように、上記各上面１３ｃに２個ずつ、計４個の、Ｌ字状の押圧部材７が取り付けられる。尚、押圧部材７は分離機構の一例に相当する。押圧部材７は、図２に示すように、固定部７１と、固定部７１に対してプリント基板２側へ折れ曲がる当接部７２とが一体的に成形された弾性部材である。固定部７１は、上記上面１３ｃの幅寸法Ｗよりも若干長い寸法にてなり、後述するように可動部材１４が基板解放位置２１にあるときには上記上面１３ｃに当接して延在する。このような固定部７１は、当接部７２とは反対側に位置する押圧部材７の一端部７ａにて固定部材１３の上面１３ｃにネジ８にて取り付けられる。よって押圧部材７は固定部材１３に固定される。当接部７２は、固定部材１３における基板接触面１３ｂを超えてＬ寸法分下方へ延在する。よって後述するように、可動部材１４が基板挟持位置２０付近に位置するとき、上側に配置されるプリント基板２の表面２ｂに押圧部材７の他端部７ｂが当接する。
【０００７】
このように構成される押圧部材７の動作を以下に説明する。
上述した従来例と同様に、プリント基板２が固定部材１３，１３に挟まれた領域に搬入された後、図３に示すように、駆動装置１５，１５の動作により可動部材１４，１４が上昇し、固定部材１３の基板接触面１３ｂと可動部材１４の基板接触面１４ｂとによってプリント基板２の縁部分２ａが挟持される。押圧部材７は、一端部７ａがネジ８にて固定部材１３に固定され、他端部７ｂが基板接触面１３ｂよりもＬ寸法分下方に突出していることから、プリント基板２の縁部分２ａが完全に挟持される直前からプリント基板２の表面２ｂと他端部７ｂとは当接する。そして固定部材１３と可動部材１４とによってプリント基板２が完全に挟持されたときには、押圧部材７の固定部７１は、ネジ８による固定点を支点として上方に反り上がった状態になる。よって、固定部材１３と可動部材１４とにプリント基板２が挟持された状態において、押圧部材７の有する弾性力により他端部７ｂはプリント基板２の表面２ｂを下方、即ち可動部材１４側へ押圧している状態となる。
【０００８】
従来例と同様に、このようなプリント基板２に電子部品が装着された後、左右の駆動装置１５，１５の動作の同期を取りながら可動部材１４，１４が下降する。このとき押圧部材７の他端部７ｂによってプリント基板２の２つの縁部分２ａ，２ａは可動部材１４側へ強制的に押圧されているので、たとえプリント基板２の表面２ｂと固定部材１３の基板接触面１３ｂとが貼り付いた状態にあるとしても、押圧部材７の押圧力により貼り付いた状態が解除され、固定部材１３とプリント基板２とは分離される。よって、図４に示すように、プリント基板２は可動部材１４，１４に強制的に当接された状態にて可動部材１４，１４とともに下降する。このように押圧部材７を設けることで、可動部材１４が下降したにも拘わらずプリント基板２が固定部材１３の基板接触面１３ｂに貼り付いたままとなる状態は防止することができる。従って、その後にプリント基板２が可動部材１４へ落下することで装着済の電子部品の配置がずれたり、次工程へのプリント基板２の搬送に支障が生じたりすることを防止することができる。
【０００９】
尚、押圧部材７の上記押圧力は、押圧部材７の材質、厚み、上記Ｌ寸法等の設計条件によって変化させることができ、プリント基板２と固定部材１３との貼付力に応じて上記設計条件を適切な値に設定すればよい。
又、本実施形態では、図１に示すように、押圧部材７はプリント基板２の４角に対応する位置に配置したが、これに限らず例えば、プリント基板２の縁部分２ａに沿って連続的に配置してもよい。
又、本実施形態では、押圧部材７は、図示するようにＬ字形状の板バネ状であるが、これに限るものではない。即ち、固定部材１３に固定される一端部と、プリント基板２の表面２ｂに当接しプリント基板２を可動部材１４へ押圧する他端部とを有する弾性部材であればよく、コイル状のバネを設け該バネの弾性力で上記押圧動作を行う構造のものや、ゴム材のような弾性材料を用いた構造等が考えられる。
さらに又、一端部が固定部材１３以外の部材に取り付けられ、他端部がプリント基板２に当接しプリント基板２を可動部材１４へ押圧する、換言すると固定部材１３からプリント基板２を分離させる分離機構であってもよい。
又、本実施形態では、プリント基板２の表面２ｂを上側に、裏面２ｃを下側に配置したが、プリント基板２の表裏面２ｂ，２ｃを上下方向に平行に配置しプリント基板２を上下方向に対して左右方向から固定部材１３と可動部材１４とによって挟持するようにしてもよい。
【００１０】
次に、第２の実施形態の回路基板保持装置１０１について以下に説明する。
この実施形態では、プリント基板２の挟持解除時に、可動部材１４が下降するときプリント基板２を可動部材１４へ強制的に当接させるため、上述した押圧部材７に代えて、分離機構の他の例として、プリント基板２の裏面２ｃを吸引する吸引装置１２を設けたものである。
具体的に説明する。ＸＹテーブル上であってプリント基板２の裏面２ｃ側には、プリント基板２への電子部品の装着に支障が生じない吸引領域を吸引する吸引装置１２が設けられる。上記吸引領域としては、例えば、プリント基板２の４角や、中央部等がある。尚、この実施形態では、上記吸引領域はプリント基板２の中央部の１箇所とする。吸引装置１２は、プリント基板２における上記吸引領域に吸着する吸着パッド１２０と、該吸着パッド１２０を上下動させる、例えばエアシリンダを有する駆動装置１２１と、上記吸着パッド１２０と吸引用ホースにて接続され吸引動作を行うバキューム装置１２３とを備える。  又、可動部材１４，１４を上下動させる駆動装置１５，１５と、上記吸着パッド１２０を上下動させる駆動装置１２１との動作を同期させ、かつ吸引動作を制御するため、駆動装置１５，１５、駆動装置１２１、バキューム装置１２３と電気的に接続される制御装置１２２が設けられる。尚、図６では制御装置１２２の図示は省略している。
【００１１】
このような構成を有する第２の実施形態の回路基板保持装置１０１の動作を以下に説明する。
上述の場合と同様に、プリント基板２が固定部材１３と可動部材１４とにより挟持され電子部品の装着がなされた後、駆動装置１５，１５の動作により可動部材１４，１４が下降する前に、駆動装置１２１の動作により吸着パッド１２０がプリント基板２の裏面２ｃに当接するまで上昇する。そして、可動部材１４，１４の下降前、又は下降開始と同時にバキューム装置１２３によってプリント基板２の吸引を開始する。このようにしてプリント基板２の吸引が開始されることで、プリント基板２は可動部材１４に強制的に当接されることになる。尚、可動部材１４用の駆動装置１５、上記吸着パッド１２０用の駆動装置１２１、及びバキューム装置１２３の動作は、制御装置１２２にて制御される。
よって、たとえプリント基板２の表面２ｂと固定部材１３の基板接触面１３ｂとが貼り付いた状態にあるとしても、バキューム装置１２３の吸引力により上記貼り付いた状態が解除され、図６に示すように、プリント基板２は可動部材１４，１４に強制的に当接された状態にて可動部材１４，１４とともに下降する。尚、可動部材１４，１４が基板挟持位置２０から基板解放位置２１方向へ所定距離、下降した時点、又は基板解放位置２１まで下降が終了した後に、制御装置１２２の制御によりプリント基板２の吸引動作が停止される。このように吸引装置１２を設けることで、上述したように、プリント基板２が可動部材１４へ落下することが防止され、装着済の電子部品の配置がずれたり、次工程へのプリント基板２の搬送に支障が生じたりすることを防止することができる。
【００１２】
尚、この第２の実施形態においても、プリント基板２の表裏面２ｂ，２ｃを上下方向に平行に配置しプリント基板２を上下方向に対して左右方向から固定部材１３と可動部材１４にて挟持するようにしてもよい。
又、可動部材１４，１４はそれぞれの駆動装置１５，１５にて駆動されているが、これに限らず、両方の可動部材１４，１４を一つの駆動装置にて駆動するようにしてもよい。
又、分離機構の他の実施形態として、プリント基板２に係合する例えば爪部材を備え、プリント基板２の挟持解除の際には上記爪部材をプリント基板２に係合させることでプリント基板２が強制的に可動部材１４，１４に当接する、換言するとプリント基板２が強制的に固定部材１３，１３から分離されるような機構とすることもできる。
【００１３】
【発明の効果】
以上詳述したように本発明の第１態様の回路基板保持装置及び第２態様の回路基板保持解除方法によれば、固定部材と可動部材とによる回路基板の挟持解除時に、上記可動部材が基板挟持位置から基板解放位置へ移動するとき上記回路基板を上記固定部材から強制的に分離させる分離機構を備えたことより、たとえ回路基板が上記固定部材に貼り付いた状態であったとしても、上記回路基板は強制的に上記貼り付いた状態が解除され上記可動部材とともに下降する。したがって、従来発生したような、可動部材が基板解放位置へ下降後に、固定部材が可動部材へ落下することはなくなり、回路基板に装着された電子部品の位置ずれや、次工程への回路基板の搬送が不能になるという状態を防止することができる。
【図面の簡単な説明】
【図１】本発明の一実施形態である回路基板保持装置の全体構成を示す斜視図である。
【図２】図１に示す押圧部材を固定部材に取り付けた状態を示す側面図である。
【図３】図１に示す回路基板保持装置において、基板挟持位置に可動部材が配置された状態を示す側面図である。
【図４】図１に示す回路基板保持装置において、基板解放位置に可動部材が配置された状態を示す側面図である。
【図５】本発明の第２の実施形態の回路基板保持装置を示す側面図であって、基板挟持位置に可動部材が配置された状態を示す側面図である。
【図６】図５に示す回路基板保持装置において、基板解放位置に可動部材が配置された状態を示す側面図である。
【図７】従来の回路基板保持装置の全体構成を示す斜視図である。
【図８】図７に示す回路基板保持装置において、基板挟持位置に可動部材が配置された状態を示す側面図である。
【図９】図７に示す回路基板保持装置において、基板解放位置に可動部材が配置された状態を示す側面図である。
【図１０】図７に示す回路基板保持装置において、固定部材側にプリント基板が貼り付いた状態を示す側面図である。
【符号の説明】
２…回路基板、２ａ…縁部分、
７…押圧部材、７ａ…一端部、７ｂ…他端部、
１２…吸引装置、１３…固定部材、１４…可動部材、
２０…基板挟持位置、２１…基板解放位置、
１００，１０１…回路基板保持装置、
１２０…吸着パッド、１２３…制御装置。
【図１】
0003618020.tif 000002
【図２】
0003618020.tif 000003
【図３】
0003618020.tif 000004
【図４】
0003618020.tif 000005
【図５】
0003618020.tif 000006
【図６】
0003618020.tif 000007
【図７】
0003618020.tif 000008
【図８】
0003618020.tif 000009
【図９】
0003618020.tif 000010
【図１０】
0003618020.tif 000011